(57)【要約】  【課題】  郵送中などに振動などが生じても蓋が開いてしまわないようなロック機構を有するとともに、ケースの側面に厚みを持たせて文字等を印刷可能とし側面の文字を見て必要なＣＤをすぐに取り出すことができるようなケースを提供する。  【解決手段】  本発明は、ケース本体と、これに連なる蓋面とからなる印刷可能素材シート製ケースであって、ケース本体面の一部をケース本体内側に切り起こし折り曲げてなる係止片と、蓋面の一部をケース本体外側に折り曲げてなる蓋舌片と、蓋舌片を係止片の折り曲げ線側から係止片先端側に向けて前記ケース内側にてスライドさせて両者を係合させるための侵入口とを有する印刷可能素材シート製ケースを提供するものである。  【選択図】図１
2006347621.tif 000002
【特許請求の範囲】
【請求項１】
ケース本体と、これに連なる蓋面とからなる印刷可能素材シート製ケースであって、
ケース本体面の一部をケース本体内側に切り起こし折り曲げてなる係止片と、
蓋面の一部をケース本体外側に折り曲げてなる蓋舌片と、
蓋舌片を係止片の折り曲げ線側から係止片先端側に向けて前記ケース内側にてスライドさせて両者を係合させるための侵入口と、
を有する印刷可能素材シート製ケース。
【請求項２】
前記係止片は、入り江形状であり、前記蓋舌片は半島形状であり、蓋舌片は半島の両側で前記係止片の入り江の両側と係止する請求項１に記載の印刷可能素材シート製ケース。
【請求項３】
前記係止片に前記蓋舌片が係止する前記ケース本体面の領域には、蓋舌片をケース本体外部から押圧するための押圧穴が設けられている請求項１又は２に記載の印刷可能素材シート製ケース。
【請求項４】
前記蓋面の前記蓋舌片との重なり領域には、前記押圧穴から蓋舌片が押圧される際に蓋舌片の逃げ領域を形成する逃げ穴が設けられている請求項３に記載の印刷可能素材シート製ケース。
【請求項５】
ケース本体と、これに連なる蓋面とは、裁断された一の紙状部材を折りたたむことで形成される請求項１から４のいずれか一に記載の印刷可能素材シート製ケース。
【請求項６】
前記一の紙状部材は、少なくとも略十字状に裁断された一の紙状部材を含み、前記十字中央に向けて周辺部分を折りたたむことでケース本体の全部又は一部が形成される請求項５に記載の印刷可能素材シート製ケース。
【請求項７】
前記係止片は、十字中央部を形成する部分に形成され、蓋舌片を有する蓋面は、十字のいずれかの先端領域に形成される請求項６に記載の印刷可能素材シート製ケース。
【請求項８】
対向するいずれか一対の周辺部分を、前記十字中央領域にて相互に係合して配置し、その周辺部分の一部に切欠きを設けることで円盤状記録媒体を係止するように構成した記録媒体保持部を有する請求項６又は７に記載の印刷可能素材シート製ケース。
【請求項９】
前記記録媒体保持部は、前記十字中央領域に凹溝を形成するように立体的に組み立てられている請求項８に記載の印刷可能素材シート製ケース。
【請求項１０】
ケース本体は、ＣＤケース（規格）と同等のサイズであり、定形郵便物として郵送可能なサイズである請求項１から９のいずれか一に記載の印刷可能素材シート製ケース。
【請求項１１】
記録媒体保持部に保持されたＣＤの最外周部を逃がすための最外周部用穴が、ケース本体側壁に設けられている請求項１０に記載の印刷可能素材シート製ケース。
【請求項１２】
前記周辺部分のいずれか一は、多重に折り重ねられ、展開可能なシート状である請求項１から１１のいずれか一に記載の印刷可能素材シート製ケース。
【請求項１３】
印刷可能素材は、紙である請求項１から１２のいずれか一に記載の印刷可能素材シート製ケース。
【発明の詳細な説明】
【技術分野】
【０００１】
本発明は、ケース本体面の一部をケース本体内側に切り起こし折り曲げてなる係止片と、蓋面の一部をケース本体外側に折り曲げてなる蓋舌片と、蓋舌片を係止片の折り曲げ線側から係止片先端側に向けて前記ケース内側にてスライドさせて両者を係合させるための侵入口とを有する印刷可能素材シート製ケースに関する。
【背景技術】
【０００２】
ＣＤをはじめとする円盤状記録媒体等を収納するケースについては、プラスチック製のもののほか、プラスチック製ＣＤケースでは環境保護に配慮されていないこと（廃棄後の再利用が可能でない、廃棄処理時に有害物質を発生させるなど）や定形郵便物として郵送できないことなどに鑑み、環境保護に配慮し、定形郵便物として郵送できることなどを目的とした紙製のケースが知られている。例えば、特許文献１においては、廃棄しても環境を汚染することなく、また定形郵便物として郵送可能な、紙製のＣＤケースであって、ベース板とカバー板をヒンジ部を介して一体に成形されるケースが開示されている（特許文献１参照）。
【特許文献１】特開平９‐２５５０７０号公報
【発明の開示】
【発明が解決しようとする課題】
【０００３】
しかし、これまでの紙製ＣＤケースは、収納した際に蓋をケース本体に係止するための機構が簡単であり（例えば、上述の特許文献１においてもかかる機構が開示されているものの、カバー板の端に一体に成形された爪片をベース板に形成された係止穴に係止することで止着できる機構が開示されているにすぎない）、郵送中などに振動などが生じると蓋が開いてしまうおそれがあった。また、これを防ぐためにケース全体を封筒で密封したり係止部分をテープで止めたりした場合には、ケースとは別の素材を用いることとなり廃棄した場合に環境を汚染するおそれもあった。即ち、プラスチック製ＣＤケースの場合、郵送中などに蓋が開かないようにするための封筒やシールが必要であり、これが環境汚染につながっているとの問題があったが、これまでの紙製ＣＤケースでもこの問題は何ら解決されていなかった。
【０００４】
また、これまでの紙製ＣＤケースの多くは、プラスチック製のＣＤケース（規格）と異なり、側面に厚みがないため、側面に文字等を印刷することができなかった。このため、プラスチック製のＣＤケース（規格）の場合と異なり、複数のケースを重ねてあるいは並べて保管した場合に側面の文字を見て必要なＣＤをすぐに取り出すことができなかった。
【０００５】
そこで、本発明が解決すべき第一の課題は、紙等の表面に印刷可能な素材を用いたシートで製造される、ＣＤをはじめとする円盤状記録媒体等を収納するケースであって、糊等を用いずに一体に成形でき、廃棄後の再利用を可能にし、あるいは廃棄処理時に有害物質を発生させないようにし、もって環境保護に配慮したケースにおいて、郵送時などに密封等のための封筒やシールを不要とし、これらの廃棄による環境汚染を生じさせないとの観点からも環境保護に配慮したケースを提供することにある。また、本発明が解決すべき第二の課題は、定形郵便物として郵送可能なケースにおいて、郵送中などに振動などが生じても蓋が開いてしまわないようなロック機構を有するケースを提供することにある。また、本発明が解決すべき第三の課題は、上述のような印刷可能素材シート製のケースにおいて、ケースの側面（ケース本体側壁）に厚みを持たせて文字等を印刷可能とし、プラスチック製のＣＤケース（規格）と一緒に重ねてあるいは並べて保管した場合でも側面（ケース本体側壁）の文字を見て必要なＣＤをすぐに取り出すことができるようなケースを提供することにある。
【課題を解決するための手段】
【０００６】
以上の課題を解決するため、本発明のうち、請求項１に記載の発明は、ケース本体と、これに連なる蓋面とからなる印刷可能素材シート製ケースであって、ケース本体面の一部をケース本体内側に切り起こし折り曲げてなる係止片と、蓋面の一部をケース本体外側に折り曲げてなる蓋舌片と、蓋舌片を係止片の折り曲げ線側から係止片先端側に向けて前記ケース内側にてスライドさせて両者を係合させるための侵入口とを有する印刷可能素材シート製ケースを提供する。また、請求項２に記載の発明は、前記係止片は、入り江形状であり、前記蓋舌片は半島形状であり、蓋舌片は半島の両側で前記係止片の入り江の両側と係止する請求項１に記載の印刷可能素材シート製ケースを提供する。また、請求項３に記載の発明は、前記係止片に前記蓋舌片が係止する前記ケース本体面の領域には、蓋舌片をケース本体外部から押圧するための押圧穴が設けられている請求項１又は２に記載の印刷可能素材シート製ケースを提供する。また、請求項４に記載の発明は、前記蓋面の前記蓋舌片との重なり領域には、前記押圧穴から蓋舌片が押圧される際に蓋舌片の逃げ領域を形成する逃げ穴が設けられている請求項３に記載の印刷可能素材シート製ケースを提供する。また、請求項５に記載の発明は、ケース本体と、これに連なる蓋面とは、裁断された一の紙状部材を折りたたむことで形成される請求項１から４のいずれか一に記載の印刷可能素材シート製ケースを提供する。また、請求項６に記載の発明は、前記一の紙状部材は、少なくとも略十字状に裁断された一の紙状部材を含み、前記十字中央に向けて周辺部分を折りたたむことでケース本体の全部又は一部が形成される請求項５に記載の印刷可能素材シート製ケースを提供する。また、請求項７に記載の発明は、前記係止片は、十字中央部を形成する部分に形成され、蓋舌片を有する蓋面は、十字のいずれかの先端領域に形成される請求項６に記載の印刷可能素材シート製ケースを提供する。また、請求項８に記載の発明は、対向するいずれか一対の周辺部分を、前記十字中央領域にて相互に係合して配置し、その周辺部分の一部に切欠きを設けることで円盤状記録媒体を係止するように構成した記録媒体保持部を有する請求項６又は７に記載の印刷可能素材シート製ケースを提供する。また、請求項９に記載の発明は、前記記録媒体保持部は、前記十字中央領域に凹溝を形成するように立体的に組み立てられている請求項８に記載の印刷可能素材シート製ケースを提供する。また、請求項１０に記載の発明は、ケース本体は、ＣＤケース（規格）と同等のサイズであり、定形郵便物として郵送可能なサイズである請求項１から９のいずれか一に記載の印刷可能素材シート製ケースを提供する。また、請求項１１に記載の発明は、記録媒体保持部に保持されたＣＤの最外周部を逃がすための最外周部用穴が、ケース本体側壁に設けられている請求項１０に記載の印刷可能素材シート製ケースを提供する。また、請求項１２に記載の発明は、前記周辺部分のいずれか一は、多重に折り重ねられ、展開可能なシート状である請求項１から１１のいずれか一に記載の印刷可能素材シート製ケースを提供する。また、請求項１３に記載の発明は、印刷可能素材は、紙である請求項１から１２のいずれか一に記載の印刷可能素材シート製ケースを提供する。
【発明の効果】
【０００７】
本発明に係る印刷可能素材シート製ケースにより、第一に、郵送時などに密封等のための封筒やシールが不要となり、これらの廃棄による環境汚染を生じさせることがなくなるため、この観点からも環境保護に配慮したケースを提供することができる。第二に、郵送中などに振動などが生じても蓋が開いてしまわないようなロック機構を有するケースを提供することができる。また、第三に、ケースの側面（ケース本体側壁）に厚みを持たせて文字等を印刷可能とし、プラスチック製のＣＤケース（規格）と一緒に重ねてあるいは並べて保管した場合でも側面の文字を見て必要なＣＤをすぐに取り出すことができるようなケースを提供することができる。
【発明を実施するための最良の形態】
【０００８】
以下に、本発明の実施例を説明する。実施例と特許請求の範囲の請求項の相互の関係は以下のとおりである。
【０００９】
実施例１：主に請求項１などに関する。
【００１０】
実施例２：主に請求項２などに関する。
【００１１】
実施例３：主に請求項３などに関する。
【００１２】
実施例４：主に請求項４などに関する。
【００１３】
実施例５：主に請求項５などに関する。
【００１４】
実施例６：主に請求項６などに関する。
【００１５】
実施例７：主に請求項７などに関する。
【００１６】
実施例８：主に請求項８などに関する。
【００１７】
実施例９：主に請求項９などに関する。
【００１８】
実施例１０：主に請求項１０などに関する。
【００１９】
実施例１１：主に請求項１１などに関する。
【００２０】
実施例１２：主に請求項１２などに関する。
【００２１】
実施例１３：主に請求項１３などに関する。
【００２２】
なお、本発明はこれら実施例に何ら限定されるものではなく、その要旨を逸脱しない範囲において、種々なる態様で実施しうる。
【実施例１】
【００２３】
<概要>
【００２４】
本実施例の印刷可能素材シート製ケースは、ケース本体と、これに連なる蓋面とからなる。そして、本実施例の印刷可能素材シート製ケースは、ケース本体面の一部をケース本体内側に切り起こし折り曲げてなる係止片と、蓋面の一部をケース本体外側に折り曲げてなる蓋舌片と、蓋舌片を係止片の折り曲げ線側から係止片先端側に向けて前記ケース内側にてスライドさせて両者を係合させるための侵入口とを有し、これらによりケースが郵送中などに開かないようにするためのロックを可能にした点に特徴を有する。
【００２５】
<構成>
【００２６】
図１は、本実施例の印刷可能素材シート製ケースの構成を示すために、当該ケースを一体的に成形することが可能なシートの展開図の一例を示す図である。なお、本図はＣＤ等の円盤状記録媒体のケースの例である。同図において、本実施例の印刷可能素材シート製ケースは、ケース本体と、これに連なる蓋面０１０１（左肩上がりの斜線が付された４箇所の部分のうち下方に位置する部分）とからなる。ここでケース本体は、印刷可能素材シート製ケースのうち蓋面以外をいう。同図では、中央領域０１０２、中央領域の上下及び左右に４箇所のケース本体側壁０１０３（右肩上がりの斜線が付された部分）を介して相互に係合して配置される二対の周辺部分０１０４（左肩上がりの斜線が付された部分）のうち左右の一対及び上方の計３箇所の部分（左肩上がりの斜線が付された４箇所の部分のうち下方に位置する部分を除く3箇所の部分）並びに当該ケース本体側壁を合わせたものがケース本体である。そして、本実施例の印刷可能素材シート製ケースは、ケース本体面の一部をケース本体内側に切り起こし折り曲げてなる係止片０１０５を有する（図１においては、ケース本体内側への切起こし・折り曲げがなされずに展開された状態が示されている。なお、図中破線が折り曲げ線を示す）。また、本実施例の印刷可能素材シート製ケースは、蓋面の一部をケース本体外側に折り曲げてなる蓋舌片０１０６を有する（図１においては、ケース本体外側に折り曲げられずに展開された状態が示されている）。ここで、「ケース本体内側」とは、ケース本体を形成した場合にケースの内面になる側をいい、「ケース本体外側」とは、ケース本体を形成した場合にケースの外面になる側をいう。その際、係止片は、例えば入り江形状であり、蓋舌片は例えば半島形状である。同図においては、係止片及び蓋舌片がかかる形状の例が示されている。さらに、本実施例の印刷可能素材シート製ケースは、この蓋舌片を係止片の折り曲げ線側から係止片先端側に向けて前記ケース内側にてスライドさせて両者を係合させるための侵入口０１０７を有する。なお、本実施例の印刷可能素材シート製ケースは、係止片に前記蓋舌片が係止するケース本体面の領域に、蓋舌片をケース本体外部から押圧するための押圧穴０１０８が設けられていることが望ましい。また、本実施例の印刷可能素材シート製ケースは、かかる押圧穴が設けられている場合において、蓋面の蓋舌片との重なり領域に、押圧穴から蓋舌片が押圧される際に蓋舌片の逃げ領域を形成する逃げ穴０１０９が設けられていることが望ましい。さらに、本実施例の印刷可能素材シート製ケースは、対向するいずれか一対の周辺部分（同図の例では中央領域の左右の一対の周辺部分）を、中央領域にて相互に係合して配置し、その周辺部分の一部に切欠き０１１０を設けることで円盤状記録媒体を係止するように構成した記録媒体保持部を有していてもよく（記録媒体保持部の具体的構成については後述する）、また、その場合に記録媒体保持部に保持されたＣＤの最外周部を逃がすための最外周部用穴０１１１がケース本体側壁にさらに設けられていてもよい。
【００２７】
「印刷可能素材シート」は、典型的には紙であるが、その表面に印刷が可能な素材からなるシート状のものであれば、紙以外でもよく、例えば、布、木、竹、塩化ビニール等でもよく、あるいはこれらの一の素材に他の素材をコーティングしたものや複数の素材を合成したものであってもよい。素材に木や竹を用いることは、素材自体の模様が美観を起こさせるという面から、好ましい。
【００２８】
また、ケースに収納する物品は、典型的にはＣＤをはじめとする円盤状記録媒体であるが、これ以外のものであってもよい。例えば、コンピュータゲーム用のゲームカセット等であってもよい。
【００２９】
「係止片」は、ケース本体面の一部をケース本体内側に切り起こし折り曲げてなるものである。その形状は例えば入り江形状である。当該係止片は、蓋舌片と係合することによりケースが郵送中などに空いてしまわないようにロックできるように構成されている。
【００３０】
図２は、上述の係止片をケース本体内側に切り起こし折り曲げた状態の一例を説明するための図であって、図１に示したような展開された状態と比較しつつこれを示した図である（便宜上印刷可能素材シート製ケースのうち当該説明に必要な一部のみを示す）。図２（ａ）は、図１と同じ状態、即ち係止片０２０５がケース本体内側への切起こし・折り曲げがなされずに展開された状態を示す。これに対し、図２（ｂ）は、係止片０２０５が、矢印で示す方向に、ケース本体内側に１８０度切り起こし折り曲げられてケース本体に折り重ねられた状態が示されている。なお、同図において、図に表れている面の側がケース本体内側を示す。なお、図２（ａ）において係止片が存在していた位置に残された略四角形の部分０２１２は、係止片を切り起こし、折り曲げた後に残された穴である。図２においても、係止片は入り江形状である場合の例が示されている。
【００３１】
また、「侵入口」は、蓋舌片を係止片の折り曲げ線側から係止片先端側に向けてケース内側にてスライドさせて両者を係合させるためのものである。図２（ａ）において、ケース本体面に侵入口０２０７が設けられていることが示されている。
【００３２】
さらに、図２（ａ）においては、蓋舌片をケース本体外部から押圧するための押圧穴０２０８が設けられている場合の例が示されているが、このように本実施例の印刷可能素材シート製ケースにおいては、ケース本体面に押圧穴が設けられていることが望ましい。また、この場合においては、図２（ｂ）に示すように、係止片の入り江周縁部０２１３を構成する部分は、押圧穴の円周部分よりも一回り大きいことが望ましい。これはロック解除を円滑に行うためであるところ、具体的には後述する。
【００３３】
「蓋舌片」は、蓋面の一部を本体外側に折り曲げてなるものである。その形状は例えば半島形状である。当該蓋舌片は、係止片と係合することによりケースが郵送中などに空いてしまわないようにロックできるように構成されている。
【００３４】
図３は、上述の蓋舌片をケース本体外側に折り曲げた状態の一例を説明するための図であって、図１に示したような展開された状態と比較しつつこれを示した図である（便宜上印刷可能素材シート製ケースのうち当該説明に必要な一部のみを示す）。図３（ａ）は、図１と同じ状態、即ち蓋舌片０３０６がケース本体外側に折り曲げられずに展開された状態を示す。これに対し、図３（ｂ）は、蓋舌片０３０６が、矢印で示す方向に、ケース本体外側に１８０度切り起こされ折り曲げられて蓋面に折り重ねられた状態が示されている。なお、同図において、図に表れている面の側がケース本体外側を示す。図３においても、蓋舌片は半島形状である場合の例が示されている。
【００３５】
さらに、図３（ａ）においては、蓋面の蓋舌片との重なり領域に、押圧穴から蓋舌片が押圧される際に蓋舌片の逃げ領域を形成する逃げ穴０３０９が設けられている場合の例が示されているが、このように本実施例の印刷可能素材シート製ケースにおいては、蓋面に逃げ穴が設けられていることが望ましい。これらの場合においては、図３（ｂ）に示すように、蓋舌片の半島周縁部０３１４を構成する部分は、逃げ穴の円周部分よりも一回り小さいことがことが必要である。また、蓋舌片の半島周縁部を構成する部分は、押圧穴が設けられている場合には、押圧穴の円周部分よりも一回り大きいことが望ましい。これらもロック解除を円滑に行うためであるところ、具体的には後述する。
【００３６】
次に、本実施例の印刷可能素材シート製ケースにおけるロック及びその解除の機構について説明する。
【００３７】
図４は、このうち、本実施例の印刷可能素材シート製ケースにおけるロック機構について説明するための図である（便宜上印刷可能素材シート製ケースのうち当該説明に必要な一部のみを示す）。図４（ａ）においては、図１において展開図で示した本実施例の印刷可能素材シート製ケースが折りたたまれ、ケース本体がほぼ形成された状態（ロック前の状態）が示されている。同図において、係止片０４０５は、外部から肉眼で見ることはできないが、ケース本体内側に１８０度切り起こし折り曲げられてケース本体に折り重ねられた状態になっている。また。蓋舌片０４０６は、ケース本体外側に１８０度切り起こされ折り曲げられて蓋面に折り重ねられた状態が示されている。また、蓋舌片を係止片の折り曲げ線側から係止片先端側に向けて（図中矢印のＡ方向）ケース内側にてスライドさせて係止片と蓋舌片の両者を係合させるための侵入口０４０７が設けられている。図４（ｂ）においては、当該蓋舌片が、当該侵入口を通って係止片の折り曲げ線側から係止片先端側に向けてケース内側にてスライドを開始し、蓋舌片の一部がケース内側に入り込んだ状態が示されている。図４（ｃ）においては、蓋舌片がさらにスライドしてケース内側に入り込んでいき係止片と蓋舌片の両者が係合した状態、即ちロック状態が示されている。
【００３８】
ここで、係止片と蓋舌片の具体的なロックの仕組みについて別図に基づいて補足説明する。
【００３９】
図５は、係止片と蓋舌片の具体的なロックの仕組みについて説明するため、ロック前後の状態を示すケース本体の当該部分の断面図の一例を示す図である。まず、図５（ａ）は、ロック前の状態（即ち、図４（ａ）と同様の状態）を示すケース本体の当該部分の断面図（図４（ａ）のＢ‐Ｂ’線による断面図）である。次に、図５（ｂ）は、蓋舌片０５０６が、当該侵入口０５０７を通って係止片０５０５の折り曲げ線側から係止片先端側に向けて（図５（ｂ）の矢印Ａ方向）ケース内側にてスライドを開始し、蓋舌片の一部がケース内側に入り込んだ状態（即ち、図４（ｂ）と同様の状態）を示すケース本体の当該部分の断面図（図４（ｂ）のＣ‐Ｃ’線による断面図）である。同図に示すように、この時蓋舌片は係止片のケース本体内側においてこれと接する形でスライドしていく。そして、同図の状態においては、未だ蓋舌片の頂点０５１５が係止片の底部０５１６より係止片の折り曲げ線側（同図では右側）に位置しているため（この状態は後に図６を用いて補足説明する）、蓋舌片は係止片よりケース本体内側に位置する状態になっている。次に、図５（ｃ）は、蓋舌片がさらにスライドしてケース内側に入り込んでいき係止片と蓋舌片の両者が係合した状態、即ちロック状態（図４（ｃ）と同様の状態）を示すケース本体の当該部分の断面図（図４（ｃ）のＤ‐Ｄ’線による断面図）である。この状態では、図５（ｂ）の場合と異なり、蓋舌片の頂点０５１５が係止片の底部０５１６より係止片先端側（同図では左側）に位置することになる。そうすると、それまでは係止片が蓋舌片をケース本体外側から押さえつけていたのに対し、この状態では蓋舌片のケース本体外側に係止片の入り江周縁部に囲まれた何もない空間部分が重なるために、蓋舌片はもはや係止片には押さえつけられていない状態になる。また、蓋舌片は前述のようにケース本体外側に折り曲げられているので、ケース本体外側（図５（ｃ）の矢印Ｂ方向）に向かって広がろうとする付勢力が働く。他方で係止片はケース本体内側に折り曲げられているので、ケース本体内側（図５（ｃ）の矢印Ｂの逆の方向）に向かって広がろうととする付勢力が働く。このため、蓋舌片は係止片よりケース本体外側に位置する状態となる。その際、蓋舌片の両側の略四角片部分（図４で０４１７で示す部分）は、この状態においても依然として係止片にケース本体外側から押さえつけられているので、係止片よりケース本体内側に位置している（この状態も後に図６を用いて補足説明する）。他方、ケース本体面の領域に押圧穴が設けられている場合には、蓋舌片の周縁部分は、前述のように好適には当該押圧穴より一回り大きいので、この場合には蓋舌片はケース本体面より外側にまで持ち上がることはない。そこで、この場合、蓋舌片は、ケース本体面と係止片の間に位置することになる。
【００４０】
なお、蓋面の一部は、前述の蓋舌片のケース本体外側への折り曲げ線より中央領域側に設けられたケース本体内側への折り曲げ線によりケース本体内側に折り曲げられてなるものであることが望ましい。これは、かかる構成により、ケース本体が形成された際に、上述の蓋舌片がケース本体外側に向かって広がろうとする付勢力に加え、蓋面がケース本体外側に広がろうとする付勢力が働くため、前述の蓋舌片が係止片よりケース本体外側に位置する状態となることをより容易にするからである。図１においては、蓋舌片のケース本体外側への折り曲げ線０１２１より中央領域０１０２側にケース本体内側への折り曲げ線０１２２が設けられている例が示されている。また、図５（ａ）においても、蓋舌片０５０６がケース本体外側への折り曲げ線０５２１によりケース本体外側に折り曲げられるとともに、蓋面０５０４の一部がケース本体内側への折り曲げ線０５２２によりケース本体外側に折り曲げられている状態が示されている。
【００４１】
図６は、図５に基づいて説明した蓋舌片の頂点と係止片の底部の位置関係を補足説明するための図であって、当該部分のみ（従ってケース本体面を含まない）をケース本体外側（即ち、図５（ｂ）において矢印Ｂ方向で示す側）から見た図である。図６（ａ）は未だ蓋舌片の頂点０６１５が係止片の底部０６１６より係止片の折り曲げ線０６１７側（同図でいえば右側）に位置している状態（即ち、図５（ｂ）と同様の状態）である。この場合、蓋舌片は、係止片に上から押さえつけられて係止片のケース本体内側に位置する状態となっている。一方、図６（ｂ）は、蓋舌片の頂点０６１５が係止片の底部０６１６より係止片先端０６１８側（同図でいえば左側）に位置することになる。そうすると、それまでは係止片が蓋舌片をケース本体外側から（同図でいえば手前側から）から押さえつけていたのに対し、この状態では蓋舌片のケース本体外側に係止片の入り江周縁部に囲まれた何もない空間部分が重なるために、蓋舌片はもはや係止片には押さえつけられていない状態になる。
【００４２】
以上に説明した機構により、ロックがなされると、仮に蓋面を係止片先端側から係止片の折り曲げ線側に引っ張る力が働いても、蓋舌片が好適にはケース本体面と係止片の間に位置しているため、（１）蓋舌片の頂点が係止片の折り曲げ部分に突き当たるか、（２）蓋と舌片の幅と係止片の幅が一致するところで係止片に係合するかのどちらか早い方の段階で、蓋舌片はそれ以上係止片の折り曲げ線側に行くことはできなくなる。従って、かかる力が働いただけでロックが解除されることはない。このため、当該ケースに物品を収納して郵送中などに振動などにより自然に蓋が開いてしまうという事態を防ぐことができる。また、蓋舌片がケース本体面より外側に位置していても、蓋舌片の両側の略四角片部分が係止片よりケース本体内側に位置しているので、やはりかかる力が働いただけでロックが解除されることはない。
【００４３】
図７は、参考までに、（１）蓋舌片の頂点０７１６が係止片の折り曲げ部分に突き当たった状態（図７（ａ））及び（２）蓋舌片の幅と係止片の幅が一致するところ（図７（ｂ）において上下の矢印で示す位置）まで進んだ状態（図７（ｂ））を示す参考図である。なお、同図においても、図１〜図６と同様、係止片は入り江形状であり、蓋舌片は半島形状である場合の例で説明している。
【００４４】
なお、ロックされた状態において蓋面を係止片先端側から係止片の折り曲げ線側に引っ張る力が働いた場合、ロックが解除されることはないものの、蓋舌片の頂点が係止片の折り曲げ部分に突き当たるか、蓋舌片の幅と係止片の幅が一致するところで係止片に係合するかのどちらか早い方の段階までは蓋面が外側方向に動くことになるため、これがいわゆるガタつきとして、本発明が商品に適用された場合に商品価値を損うおそれもある。そこで、蓋を完全に閉めた状態から、蓋舌片の頂点が係止片の折り曲げ部分に突き当たるか蓋舌片の幅と係止片の幅が一致するところで係止片に係止するかどちらか早い方の段階までの蓋が動く距離は、できるだけ短い方がのぞましい。その実現方法は当業者の設計事項に係る事柄であるので、説明を省略する。
【００４５】
図８は、本実施例の印刷可能素材シート製ケースにおけるロック解除機構について説明するため、ロック解除前後の状態を示すケース本体の当該部分の断面図の一例を示す図である。同図に基づく説明においても、係止片は入り江形状であり、蓋舌片は半島形状であり、ケース本体面の領域に蓋舌片をケース本体外部から押圧するための押圧穴０８０８が設けられており、蓋面の蓋舌片との重なり領域に押圧穴から蓋舌片が押圧される際に蓋舌片の逃げ領域を形成する逃げ穴０８０９が設けられている場合の例で説明する。まず、図８（ａ）は、係止片０８０５と蓋舌片０８０６の両者が係止した状態、即ちロック状態を示すケース本体の当該部分の断面図（図４（ｃ）のＤ‐Ｄ’線による断面図）である（即ち、図５（ｃ）と同様の状態を示す図である）。この状態からロックを解除するためには、まず、押圧穴０８０８から指等を入れてケース本体内部の蓋舌片を下方向に押圧する。するとこの蓋舌片の下には、係止片の入り江周縁部に囲まれた何もない空間部分が位置しているため、蓋舌片の下方向への動きを妨げるものは何もない状態となっている。そこで、蓋舌片を下方向に押圧すると、蓋舌片は係止片よりケース本体内側に位置するところまで下がることになる。図８（ｂ）はかかる動作により蓋舌片０８０６が係止片０８０６よりケース本体内側に位置するところまで下がった状態を示すケース本体の当該部分の断面図である。この状態で蓋面を外側方向（図中矢印のＢ方向）に引っ張ると、もはや蓋舌片の頂点が係止片の折り曲げ部分に突き当たることもなく、また、蓋舌片の幅と係止片の幅が一致するところで係止片に係止することもないので、ロックが解除されて蓋を開けることができる。図８（ｃ）は、さらに蓋舌片がその下に位置している逃げ穴０８０９の下側まで押し下げられた状態を示す。このようにするとロック解除がさらに容易になる。
【００４６】
以上は、印刷可能素材シート製ケースに収納する物品がＣＤ等の円盤状記録媒体１枚である場合の例で説明したが、当該物品の数は１点に限られない。例えば、同じく収納する物品がＣＤ等の円盤状記録媒体の場合であっても、印刷可能素材シート製ケースがこれを２枚する収納するものであってもよい。即ち、本実施例の印刷可能素材シート製ケースの収納物品（内容、数量）及びこれに応じた当該ケースの形状やサイズは、本発明の目的に反しない範囲において当業者の適宜の設計事項である。
【００４７】
図９は、参考までに、ＣＤ等の円盤状記録媒体を２枚収納可能な印刷可能素材シート製ケースを一体的に成形することが可能なシートの展開図の一例を示す図である。
【００４８】
<効果>
【００４９】
本実施例の印刷可能素材シート製ケースにより、第一に、郵送時などに密封等のための封筒やシールが不要となり、これらの廃棄による環境汚染を生じさせることがなくなるため、この観点からも環境保護に配慮したケースを提供することができる。第二に、郵送中などに振動などが生じても蓋が開いてしまわないようなロック機構を有するケースを提供することができる。また、第三に、ケースの側面（ケース本体側壁）に厚みを持たせて文字等を印刷可能とし、プラスチック製のＣＤケース（規格）と一緒に重ねてあるいは並べて保管した場合でも側面の文字を見て必要なＣＤをすぐに取り出すことができるようなケースを提供することができる。
【実施例２】
【００５０】
<概要>
【００５１】
本実施例の印刷可能素材シート製ケースは、実施例１の印刷可能素材シート製ケースと同様のものであるが、このうち係止片は入り江形状であり、蓋舌片は半島形状であり、蓋舌片は半島の両側で前記係止片の入り江の両側と係止する点に特徴を有する。
【００５２】
<構成>
【００５３】
本実施例の印刷可能素材シート製ケースは、ケース本体と蓋面とからなり、係止片、蓋舌片及び侵入口を有するものであって、その構成は基本的に実施例１の印刷可能素材シート製ケースと共通する。
【００５４】
そして、本実施例の印刷可能素材シート製ケースにおいて、その係止片は入り江形状であり、蓋舌片は半島形状である。また、蓋舌片は半島の両側で係止片の入り江の両側と係止するように構成されている。「半島の両側で前記係止片の入り江の両側と係止する」というのは、実施例１について図７（ｂ）に示したように、蓋舌片の幅と係止片の幅が一致するところで、蓋舌片を構成する半島の両端と係止片を構成する入り江の両側が互いに接し、蓋舌片がそれ以上係止片の折り曲げ線側に行くことができなくなる状態をいう。
【００５５】
「入り江形状」とは、両端部分が突出し、中央部分が湾曲した形状をいい、「半島形状」とは、中央部分が突出した形状をいう。例えば、入り江形状は、実施例１について図７に示したような周縁部分が略円弧状のものであり、半島形状は、同図に示したような周縁部分が略円弧状のものである。ただし、係止片及び蓋舌片の形状はかかる略円弧状のものに限られず、上述のような係止の仕組みを実現できるものであれば、他の形状であってもよい。例えば、入り江形状の周縁部分が略四角形であり、半島形状の周縁部分が略四角形であってもよく、あるいは、これらがともに略三角形であってもよい。
【００５６】
このように構成したから半島形状の周縁部分と入り江形状の周縁部分の摩擦による係止が容易になり、ガタつきを減らせる。従って、この観点からは、係止片及び蓋舌片の形状は、図７（ｂ）に示すようなものであることが望ましい。
【００５７】
その余の構成は実施例１の印刷可能素材シート製ケースの構成と同じであるので、説明を省略する。
【００５８】
<効果>
【００５９】
本実施例の印刷可能素材シート製ケースにより、郵送中などに振動などが生じても蓋が開いてしまわないようなロック機構を有するケースを提供することができる。
【実施例３】
【００６０】
<概要>
【００６１】
本実施例の印刷可能素材シート製ケースは、実施例１又は２の印刷可能素材シート製ケースと同様のものであるが、このうち係止片に前記蓋舌片が係止するケース本体面の領域には、蓋舌片をケース本体外部から押圧するための押圧穴が設けられている点に特徴を有する。
【００６２】
<構成>
【００６３】
本実施例の印刷可能素材シート製ケースは、ケース本体と蓋面とからなり、係止片、蓋舌片及び侵入口を有するものであって、その構成は基本的に実施例１又は２の印刷可能素材シート製ケースと共通する。
【００６４】
そして、本実施例の印刷可能素材シート製ケースにおいて、係止片に前記蓋舌片が係止するケース本体面の領域に、蓋舌片をケース本体外部から押圧するための押圧穴が設けられている。
【００６５】
押圧穴は、上述のように蓋舌片をケース本体外部から押圧するためのものであるが、より具体的には、ロックを解除する際に、ここから指等をケース本体の内側に挿入し、これに重なる位置に配されている蓋舌片をケース本体内側方向、即ち、実施例１についての図８でいえばケース本体内側方向に向かって蓋舌片が係止片よりケース本体内側に位置するところまで押圧するためのものである。そして、この状態で蓋面を外側方向に引っ張ると、ロックが解除されて蓋を開けることができる。
【００６６】
押圧穴の大きさには特に限定はない。指を挿入する場合は、指が入る大きさであればよく、より細いもの、例えばペン先を挿入する場合は、ペン先が入る大きさであればよい。なお、例えば郵送中などに郵便局員等が誤って押圧穴に指を入れて蓋が開いてしまうことがないようにするためには、押圧穴は小さい方が望ましい。従って、上の例ではペン先が入る大きさの方が望ましい。
【００６７】
図１２は、押圧穴の大きさ、形状の一例を示す参考図であって、押圧穴がペン先が入る程度の大きさである場合に、そこにペン先を挿入してロック解除を行おうとしている状態を示す図である。
【００６８】
また、蓋面の蓋舌片との重なり領域に、押圧穴から蓋舌片が押圧される際に蓋舌片の逃げ領域を形成する逃げ穴が設けられていることが望ましい。これは、蓋舌片の下方向への動きを妨げるものが何もない状態とすることで、蓋舌片を下方向に押圧した場合に蓋舌片が係止片よりケース本体内側に位置するところまで下がることを容易にするためである。
【００６９】
さらに、蓋面の、ケース本体面の係止片を切り起こし折り曲げた後に残された穴との重なり領域に、蓋を開けるときにこれに指等を指し入れるための指入れ穴が設けられていてもよい。
図１３は、本実施例の印刷可能素材シート製ケースを一体的に成形することが可能なシートの展開図の一例を示す図であって、かかる指入れ穴が設けられた場合の例にかかるものである。同図において、蓋面のうち逃げ穴１３０９が設けられた面１３２３（左肩上がりの斜線が付された部分）とケース本体内側への折り曲げ線１３２２を介して接する面１３２４（右肩上がりの斜線が付された部分）にこの指入れ穴１３２５が設けられている。この指入れ穴は、この面に切り込みを設けて形成された舌片状の部分１３２６を当該部分の中央領域側に設けられた折り曲げ線１３２７の位置でケース本体内側に折り曲げることにより形成される。そして、この指入れ穴は、この展開図を折りたたんでケースを形成したときに、ケース本体面の係止片を切り起こし折り曲げた後に残された穴に重なる位置に設けられている。そこで、ケースの蓋を開ける（ロック解除を行う）ときには、押圧穴に指等を挿入して蓋舌片を押圧した状態で蓋舌片を外側方向にスライドさせると同時に、この指入れ穴に別の指等を指し入れてケース内側に折り曲げられた舌片状の部分にあてがいつつ蓋面を外側方向に引っ張るようにする。このように構成したから、ロック解除をよりスムーズに行える。
【００７０】
その余の構成は実施例１又は２の印刷可能素材シート製ケースの構成と同じであるので、説明を省略する。
【００７１】
<効果>
【００７２】
本実施例の印刷可能素材シート製ケースにより、ロック解除を容易にすることができる。
【実施例４】
【００７３】
<概要>
【００７４】
本実施例の印刷可能素材シート製ケースは、実施例３の印刷可能素材シート製ケースと同様のものであるが、このうち蓋面の前記蓋舌片との重なり領域には、前記押圧穴から蓋舌片が押圧される際に蓋舌片の逃げ領域を形成する逃げ穴が設けられている点に特徴を有する。
【００７５】
<構成>
【００７６】
本実施例の印刷可能素材シート製ケースは、ケース本体と蓋面とからなり、係止片、蓋舌片、侵入口及び押圧穴を有するものであって、その構成は基本的に実施例３の印刷可能素材シート製ケースと共通する。
【００７７】
そして、本実施例の印刷可能素材シート製ケースにおいては、蓋面の蓋舌片との重なり領域に、押圧穴から蓋舌片が押圧される際に蓋舌片の逃げ領域を形成する逃げ穴が設けられている。このように構成したから、蓋舌片を下方向に押圧したときに蓋舌片が係止片よりケース本体内側に位置するところまで容易に下がる。
【００７８】
その余の構成は実施例３の印刷可能素材シート製ケースの構成と同じであるので、説明を省略する。
【００７９】
<効果>
【００８０】
本実施例の印刷可能素材シート製ケースにより、ロック解除を容易にすることができる。
【実施例５】
【００８１】
<概要>
【００８２】
本実施例の印刷可能素材シート製ケースは、実施例１から４のいずれか一の印刷可能素材シート製ケースと同様のものであって、ケース本体と、これに連なる蓋面とは、裁断された一の紙状部材を折りたたむことで形成されるものである点に特徴を有する。
【００８３】
<構成>
【００８４】
本実施例の印刷可能素材シート製ケースは、ケース本体と蓋面とからなり、係止片、蓋舌片及び侵入口を有するものであって、その構成は基本的に実施例１から４のいずれか一の印刷可能素材シート製ケースと共通する。
【００８５】
そして、本実施例の印刷可能素材シート製ケースは、ケース本体と、これに連なる蓋面とは、裁断された一の紙状部材を折りたたむことで形成されるものである。即ち、本実施例の印刷可能素材シート製ケースは、当該ケースを形成するにあたり、封筒、糊、シールその他の接着剤等を一切用いず、単に裁断された一の紙状部材を折りたたむだけで物品収納時の形状に形成し、蓋舌片を係止片の折り曲げ線側から係止片先端側に向けて侵入口を通じてケース内側にスライドさせて両者を係合させるだけで、郵送中などにおいてケースの蓋が開いてしまわないようにすることができるようにしたものである。かかる構成の印刷可能素材シート製ケースの展開図の一例は、実施例１について図１で示したとおりである（ＣＤケースの例）。
【００８６】
このように構成したのは、紙状部材以外の素材を一切用いないことで、廃棄後の再利用を可能にし、あるいは廃棄処理時に有害物質を発生させないようにし、もって環境保護に配慮することを目的とするものである。従って、この観点からは、本実施例の印刷可能素材シート製ケースに使用する紙状部材は、再利用可能なものや廃棄処理時に有害物質を発生させないものであることが望ましい。
【００８７】
その余の構成は実施例１から４のいずれか一の印刷可能素材シート製ケースサービスシステムの構成と同じであるので、説明を省略する。
【００８８】
<効果>
【００８９】
本実施例の印刷可能素材シート製ケースにより、ケースを簡単に形成でき、かつ環境保護に配慮することを可能にする。
【実施例６】
【００９０】
<概要>
【００９１】
本実施例の印刷可能素材シート製ケースは、実施例５の印刷可能素材シート製ケースと同様のものであるが、一の紙状部材は、少なくとも略十字状に裁断された一の紙状部材を利用し、かつ前記十字中央に向けて周辺部分を折りたたむことでその全部又は一部が形成されるものである点に特徴を有する。
【００９２】
<構成>
【００９３】
本実施例の印刷可能素材シート製ケースは、ケース本体と蓋面とからなり、係止片、蓋舌片及び侵入口を有するものであって、その構成は基本的に実施例５の印刷可能素材シート製ケースと共通する。
【００９４】
そして、本実施例の印刷可能素材シート製ケースは、ケース本体と、これに連なる蓋面とが、少なくとも略十字状に裁断された一の紙状部材を利用し、かつ、前記十字中央に向けて周辺部分を折りたたむことでその全部又は一部が形成されるものである。かかる構成の展開図の一例は、実施例１について図１で示したとおりである（ＣＤケースの例）。
【００９５】
このように構成したから必要な裁断を容易に行うことができ、形成を単純な動作でできる。
【００９６】
その余の構成は実施例５の印刷可能素材シート製ケースの構成と同じであるので、説明を省略する。
【００９７】
<効果>
【００９８】
本実施例の印刷可能素材シート製ケースにより、裁断を容易に行えるとともに、形成を単純な動作で簡易にすることが可能となる。
【実施例７】
【００９９】
<概要>
【０１００】
本実施例の印刷可能素材シート製ケースは、実施例６の印刷可能素材シート製ケースと同様のものであるが、係止片は十字中央部を形成する部分に形成され、蓋舌片を有する蓋面は十字のいずれかの先端領域に形成される点に特徴を有する。
【０１０１】
<構成>
【０１０２】
本実施例の印刷可能素材シート製ケースは、ケース本体と蓋面とからなり、係止片、蓋舌片及び侵入口を有するものであって、その構成は基本的に実施例６の印刷可能素材シート製ケースと共通する。
【０１０３】
そして、本実施例の印刷可能素材シート製ケースは、係止片は十字中央部を形成する部分に形成され、蓋舌片を有する蓋面は十字のいずれかの先端領域に形成される。かかる構成の印刷可能素材シート製ケースの展開図の一例は、実施例１について図１で示したとおりである（ＣＤケースの例であり、蓋舌片を有する蓋面が十字の下側の先端領域に形成される例）。
【０１０４】
その余の構成は実施例６の印刷可能素材シート製ケースの構成と同じであるので、説明を省略する。
【０１０５】
<効果>
【０１０６】
本実施例の印刷可能素材シート製ケースにより、裁断を容易に行えるとともに、形成を単純な動作で簡易にすることが可能となる。
【実施例８】
【０１０７】
<概要>
【０１０８】
本実施例の印刷可能素材シート製ケースは、実施例６又は７の印刷可能素材シート製ケースと同様のものであるが、対向するいずれか一対の周辺部分を、前記十字中央領域にて相互に係合して配置し、その周辺部分の一部に切欠きを設けることで円盤状記録媒体を係止するように構成した記録媒体保持部を有する点に特徴を有する。
【０１０９】
<構成>
【０１１０】
本実施例の印刷可能素材シート製ケースは、ケース本体と蓋面とからなり、係止片、蓋舌片及び侵入口を有するものであって、その構成は基本的に実施例６又は７の印刷可能素材シート製ケースと共通する。
【０１１１】
そして、本実施例の印刷可能素材シート製ケースは、対向するいずれか一対の周辺部分を、前記十字中央領域にて相互に係合して配置し、その周辺部分の一部に切欠きを設けることで円盤状記録媒体を係止するように構成した記録媒体保持部を有する。円盤状記録媒体は、典型的にはＣＤであるが、これに限られず、例えばＤＶＤなどであってもよい。かかる構成の印刷可能素材シート製ケースの展開図の一例は、実施例１について図１で示したとおりである（ＣＤケースの例）。
【０１１２】
その余の構成は実施例６又は７の印刷可能素材シート製ケースの構成と同じであるので、説明を省略する。
【０１１３】
<効果>
【０１１４】
本実施例の印刷可能素材シート製ケースにより、裁断を容易に行えるとともに、形成を単純な動作で簡易にすることが可能となる。
【実施例９】
【０１１５】
<概要>
【０１１６】
本実施例の印刷可能素材シート製ケースは、実施例８の印刷可能素材シート製ケースと同様のものであるが、記録媒体保持部は、前記十字中央領域に凹溝を形成するように立体的に組み立てられている点に特徴を有する。
【０１１７】
<構成>
【０１１８】
本実施例の印刷可能素材シート製ケースは、ケース本体と蓋面とからなり、係止片、蓋舌片及び侵入口を有するものであって、その構成は基本的に実施例８の印刷可能素材シート製ケースと共通する。
【０１１９】
そして、本実施例の印刷可能素材シート製ケースは、対向するいずれか一対の周辺部分を、前記十字中央領域にて相互に係合して配置し、その周辺部分の一部に切欠きを設けることで円盤状記録媒体を係止するように構成した記録媒体保持部を有する。また、その場合に記録媒体保持部に保持されたＣＤの最外周部を逃がすための最外周部用穴がケース本体側壁にさらに設けられていてもよい。
【０１２０】
「記録媒体保持部」は、十字中央領域に凹溝を形成するように立体的に組み立てられている。
【０１２１】
図１０は、かかる構成の印刷可能素材シート製ケースの概念の一例を示す図として、実施例１について図１で示した印刷可能素材シート製ケースを折り曲げて形成したものの一部であってＣＤが収納された状態を示す図である。同図において、図１の左右の一対の周辺部分を十字中央領域にて相互に係合することにより形成される記録媒体保持部１０１８に保持された円盤状記録媒体１０１９の下側に、十字中央領域の幅全体の概ね１／３程度の幅を中央部分で貫く形で、凹溝１０２０が形成される形で記録媒体保持部が立体的に組み立てられている。このように構成したから、この凹溝部分にケース本体の外側から円盤状記録媒体の中央部分に向かって（図中矢印Ａ方向に）指等を挿入することにより、円盤状記録媒体を簡単に取り出せる。なお、同図の例では、凹溝が十字中央領域を貫通する形状である場合の例が示されているが、上述の凹溝の形成目的に反しなければ、かかる形状に限られない。例えば、凹溝が十字中央領域の一方の端から当該領域の中央付近部分まで形成されている（即ち、凹溝が十字中央領域を貫通しない）ものであってもよい。
【０１２２】
その余の構成は実施例８の印刷可能素材シート製ケースの構成と同じであるので、説明を省略する。
【０１２３】
<効果>
【０１２４】
本実施例の印刷可能素材シート製ケースにより、凹溝部分にケース本体の外側から指等を挿入することにより、円盤状記録媒体を簡単に取り出すことが可能となる。
【実施例１０】
【０１２５】
<概要>
【０１２６】
本実施例の印刷可能素材シート製ケースは、実施例１から９のいずれか一の印刷可能素材シート製ケースと同様のものであるが、ケース本体は、ＣＤケース（規格）と同等のサイズであり、定形郵便物として郵送可能なサイズである点に特徴を有する。
【０１２７】
<構成>
【０１２８】
本実施例の印刷可能素材シート製ケースは、ケース本体と蓋面とからなり、係止片、蓋舌片及び侵入口を有するものであって、その構成は基本的に実施例１から９のいずれか一の印刷可能素材シート製ケースと共通する。
【０１２９】
そして、本実施例の印刷可能素材シート製ケースのケース本体は、ＣＤケース（規格）と同等のサイズであり、定形郵便物として郵送可能なサイズである。定形郵便物として郵送可能なサイズは、長さ１４〜２３．５ｃｍ×幅９〜１２ｃｍ×厚さ１ｃｍ以内である。そして、ケース本体が、ＣＤケース（規格）と同等のサイズであるというのは、ケースを形成した状態におけるケースのサイズが、１２ｃｍ規格のＣＤを収納するために一般的に用いられているサイズのプラスチック製ＣＤのケース（通例長さ１４．２ｃｍ×幅１２．４ｃｍ×厚さ１ｃｍ）と同等のサイズであるという意味である。そして、これが定形郵便物として郵送可能なサイズであることから、本実施例のケースのケース本体の具体的なサイズとしては、長さ１４ｃｍ程度（ただし１４ｃｍを下回らない）×幅１２ｃｍ以内×厚さ１ｃｍ以内というサイズであるということになる。
【０１３０】
このように構成したから、第一に、これを定形郵便物（サイズが長さ１４〜２３．５ｃｍ、幅９〜１２ｃｍ、厚さ１ｃｍまでのもので、重さが５０ｇまでのもの）として郵送できる。この場合、ＣＤの直径と定形郵便物として郵送可能なサイズの幅（短い方の辺）が同じであることから、本実施例の印刷可能素材シート製ケースがＣＤを収納した状態で定形郵便物のサイズを超えないようにするため、ケース本体側壁に記録媒体保持部に保持されたＣＤの最外周部を逃がすための最外周部用穴が設けられていることが望ましい。なお、重さについては、本実施例の印刷可能素材シート製ケースの素材が軽量であることから（例えば図１に示した展開図から形成されるＣＤケースであって、長さ１４．２ｃｍ×幅１２ｃｍ×厚さ１ｃｍのものを１平方メートル当たり２６０ｇ相当の印刷用紙で形成した場合約２３ｇ）、これに一般に広く出回っている１５ｇ程度のＣＤを収納しても十分定形郵便物の条件内に納まる。
【０１３１】
第二に、１２ｃｍ規格のＣＤを収納するために一般的に用いられているサイズのプラスチック製ＣＤのケースの厚みと同等の厚み（１ｃｍ）を持たせることで、ケース本体側壁にも文字等を印刷できる。だから、プラスチック製のＣＤケース（規格）と一緒に重ねてあるいは並べて保管した場合でも、ケース本体側壁の文字を見て必要なＣＤをすぐに取り出せる。
【０１３２】
その余の構成は実施例１から９のいずれか一の印刷可能素材シート製ケースの構成と同じであるので、説明を省略する。
【０１３３】
<効果>
【０１３４】
本実施例の印刷可能素材シート製ケースにより、これを定形郵便物として郵送でき、またケースの側面に厚みを持たせて文字等を印刷可能としたから、プラスチック製のＣＤケース（規格）と一緒に重ねてあるいは並べて保管した場合でもケース本体側壁の文字を見て必要なＣＤをすぐに取り出せる。
【実施例１１】
【０１３５】
<概要>
【０１３６】
本実施例の印刷可能素材シート製ケースは、実施例１０の印刷可能素材シート製ケースと同様のものであるが、記録媒体保持部に保持されたＣＤの最外周部を逃がすための最外周部用穴が、ケース本体側壁に設けられている点に特徴を有する。
【０１３７】
<構成>
【０１３８】
本実施例の印刷可能素材シート製ケースは、ケース本体と蓋面とからなり、係止片、蓋舌片及び侵入口を有するものであって、その構成は基本的に実施例１０の印刷可能素材シート製ケースと共通する。
【０１３９】
そして、本実施例の印刷可能素材シート製ケースは、記録媒体保持部に保持されたＣＤの最外周部を逃がすための最外周部用穴が、ケース本体側壁に設けられている。このように構成したから、ＣＤの直径と定形郵便物として郵送可能なサイズの幅（短い方の辺）が同じとなり、ＣＤを収納した状態でも定形郵便物のサイズを超えない。かかる構成の印刷可能素材シート製ケースの展開図の一例は、実施例１について図１で示したとおりである。
【０１４０】
その余の構成は実施例１０の印刷可能素材シート製ケースの構成と同じであるので、説明を省略する。
【０１４１】
<効果>
【０１４２】
本実施例の印刷可能素材シート製ケースにより、ＣＤを収納した状態で定形郵便物のサイズを超えないから、定形郵便物として郵送できる。
【実施例１２】
【０１４３】
<概要>
【０１４４】
本実施例の印刷可能素材シート製ケースは、実施例１から１１のいずれか一の印刷可能素材シート製ケースと同様のものであるが、周辺部分のいずれか一は、多重に折り重ねられ、展開可能なシート状である点に特徴を有する。
【０１４５】
<構成>
【０１４６】
本実施例の印刷可能素材シート製ケースは、ケース本体と蓋面とからなり、係止片、蓋舌片及び侵入口を有するものであって、その構成は基本的に実施例１から１１のいずれか一の印刷可能素材シート製ケースと共通する。
【０１４７】
そして、本実施例の印刷可能素材シート製ケースは、周辺部分のいずれか一が多重に折り重ねられ、展開可能なシート状である。例えば音楽用ＣＤの曲目解説の中には数ページにわたる大部のものもあるところ、従来のプラスチック製ＣＤケースにあっては、例えば解説冊子を蓋の裏側に設けられた爪の間に挿入していた。このため、取出し・挿入の際に爪が折れたり冊子が爪で傷つけられたりするおそれや紛失のおそれがあった。本実施例の印刷可能素材シート製ケースは上のように構成したから、この部分に曲目解説などを印刷すれば、このような弊害を回避できる。
【０１４８】
図１１は、本実施例の印刷可能素材シート製ケースの構成を示すために、当該ケースを一体的に成形することが可能なシート展開図の一例を示す図である。なお、本図はＣＤ等の円盤状記録媒体のケースの例である。同図において、印刷可能素材シート製ケースのうちの一の周辺部分１１０４は多重に折り重ねられ、展開可能なシート状になっており、この部分に曲目解説などを印刷することができる。
【０１４９】
その余の構成は実施例１から１１のいずれか一の印刷可能素材シート製ケースの構成と同じであるので、説明を省略する。
【０１５０】
<効果>
【０１５１】
本実施例の印刷可能素材シート製ケースにより、音楽用ＣＤの曲目解説などを周辺部分のいずれか一を多重に折り重ねて展開可能なシート状のものとした部分に印刷できるから、爪で冊子を傷つけたり紛失したりするおそれがない。
【実施例１３】
【０１５２】
<概要>
【０１５３】
本実施例の印刷可能素材シート製ケースは、実施例１から１２のいずれか一の印刷可能素材シート製ケースと同様のものであるが、印刷可能素材は、紙である点に特徴を有する。
【０１５４】
<構成>
【０１５５】
本実施例の印刷可能素材シート製ケースは、ケース本体と蓋面とからなり、係止片、蓋舌片及び侵入口を有するものであって、その構成は基本的に実施例１から１２のいずれか一の印刷可能素材シート製ケースと共通する。
【０１５６】
そして、本実施例の印刷可能素材シート製ケースの印刷可能素材は紙である。「紙」には、印刷可能で郵送中などに振動などが生じても蓋が開かないようなケースを形成できるものを広く含む。例えば、クラフト紙、アート紙、コート紙、上質紙、板紙、ダンボール紙などである。なお、定形郵便物として郵送可能であるとの観点からは、本実施例の印刷可能素材シート製ケースの素材は軽量であること（例えば１平方メートル当たり２６０ｇ相当の印刷用紙）であることが望ましい。このように構成したから、本発明の課題解決が容易になる。
【０１５７】
なお、本実施例の印刷可能素材シート製ケースの構成は、実施例１から１２のいずれか一の印刷可能素材シート製ケースの構成と同じであるので、説明を省略する。
【０１５８】
<効果>
【０１５９】
本実施例の印刷可能素材シート製ケースにより、本発明の課題解決が容易になる。
【図面の簡単な説明】
【０１６０】
【図１】実施例１の印刷可能素材シート製ケースを一体的に成形することが可能なシートの展開図の一例を示す図
【図２】実施例１の印刷可能素材シート製ケースの係止片をケース本体内側に切り起こし折り曲げた状態の一例を説明するための図
【図３】実施例１の印刷可能素材シート製ケースの蓋舌片をケース本体内側に折り曲げた状態の一例を説明するための図
【図４】実施例１の印刷可能素材シート製ケースにおけるロック機構の一例を示す図
【図５】実施例１の印刷可能素材シート製ケースの係止片と蓋舌片のロック前後の状態を示すケース本体の当該部分の断面図の一例を示す図
【図６】実施例１の印刷可能素材シート製ケースの蓋舌片の頂点と係止片の底部の位置関係を補足説明するための図
【図７】実施例１の印刷可能素材シート製ケースの蓋舌片の頂点が係止片の折り曲げ部分に突き当たった状態及び蓋舌片の幅と係止片の幅が一致するところまで進んだ状態を示す参考図
【図８】実施例１の印刷可能素材シート製ケースにおけるロック解除前後の状態を示すケース本体の当該部分の断面図の一例を示す図
【図９】実施例１の印刷可能素材シート製ケースを一体的に成形することが可能なシートの展開図の一例を示す図
【図１０】実施例９の印刷可能素材シート製ケースの概念の一例を示す図
【図１１】実施例１２の印刷可能素材シート製ケースを一体的に成形することが可能なシートの展開図の一例を示す図
【図１２】実施例３の印刷可能素材シート製ケースの押圧穴の大きさ、形状の一例を示す参考図
【図１３】実施例３の印刷可能素材シート製ケースを一体的に成形することが可能なシートの展開図の一例を示す図
【符号の説明】
【０１６１】
０１０１      ケース本体
０１０２      蓋面
０１０３      係止片
０１０４      蓋舌片
０１０５      侵入口
０１０６      押圧穴
０１０７      逃げ穴
０１０８      周辺部分
０１０９      中央領域
０１１０      切欠き
０１１１      最外周部用穴
０１１２      ケース本体側壁
【図１】
2006347621.tif 000003
【図２】
2006347621.tif 000004
【図３】
2006347621.tif 000005
【図４】
2006347621.tif 000006
【図５】
2006347621.tif 000007
【図６】
2006347621.tif 000008
【図７】
2006347621.tif 000009
【図８】
2006347621.tif 000010
【図９】
2006347621.tif 000011
【図１０】
2006347621.tif 000012
【図１１】
2006347621.tif 000013
【図１２】
2006347621.tif 000014
【図１３】
2006347621.tif 000015